(57)【要約】【課題】通信目的に適した相手先の電話番号又はＦＡＸ番号に発呼することが可能なファクシミリ装置を提供すること。【解決手段】ワンタッチリスト３１は、ワンタッチキー６３に登録されている番号が、電話番号であるか又はＦＡＸ番号であるかを示す属性を記憶している。そして、ワンタッチキー６３が操作された場合に、ＡＤＦ４１又はＦＢＳ４２に原稿がある場合は、ＦＡＸ送信であると判断し、属性がＦＡＸであるか否かを判断する。その結果、属性がＦＡＸの場合は、相手先名を表示部７０に表示し、スタートキー６５の操作に基づいて、相手先に発呼する。一方、ワンタッチキー６３が操作された場合に、ＡＤＦ４１又はＦＢＳ４２に原稿がない場合であって、ハンドセット１１１がオフフックされている場合は、電話であると判断し、属性が電話であるか否かを判断する。その結果、属性が電話の場合は、相手先名を表示部７０に表示した後、相手先に発呼する。【選択図】　　図１
2004040648.tif 000002
【特許請求の範囲】
【請求項１】
相手先のＦＡＸ番号又は電話番号と、その番号がＦＡＸ番号であるか又は電話番号であるかを示す属性とを記憶する記憶手段を備えたファクシミリ装置。
【請求項２】
請求項１に記載のファクシミリ装置において、警告を報知する報知手段と、発呼前にＦＡＸであるか又は電話であるかを判断し、その判断結果と記憶手段の属性とが異なる場合は、その旨の警告を報知手段に報知する制御手段とを備えたファクシミリ装置。
【請求項３】
同一相手先のＦＡＸ番号と電話番号とを、少なくとも１つのワンタッチキー又は１つの短縮番号に記憶する記憶手段を備えたファクシミリ装置。
【発明の詳細な説明】
【０００１】
【発明の属する技術分野】
本発明は、ファクシミリ装置に関し、より詳しくは通信時（電話、ＦＡＸを含む）の動作に特徴を有するファクシミリ装置に関するものである。
【０００２】
【従来の技術】
従来より、ファクシミリ装置においては、相手先の電話番号やＦＡＸ番号を記憶するワンタッチキーを備えている。そして、相手先の電話番号やＦＡＸ番号が登録されているワンタッチキーが操作された場合には、その相手先の電話番号やＦＡＸ番号に素早く発呼することができる。
【０００３】
【発明が解決しようとする課題】
しかしながら、ワンタッチキーに電話番号とＦＡＸ番号とが混在して登録されている場合には、ファクシミリ送信時に電話番号に発呼、或いは電話時にＦＡＸ番号に発呼する場合があった。なお、このような問題は、ワンタッチキーに限らず、短縮番号に対しても同様であった。
【０００４】
本発明は、このような問題点に着目してなされたものであって、その目的は、通信目的に適した相手先の電話番号又はＦＡＸ番号に発呼することが可能なファクシミリ装置を提供することにある。
【０００５】
【課題を解決するための手段】
上記の目的を達成するために、請求項１に記載の発明では、相手先のＦＡＸ番号又は電話番号と、その番号がＦＡＸ番号であるか又は電話番号であるかを示す属性とを記憶する記憶手段を備えた。
【０００６】
請求項２に記載の発明では、請求項１に記載のファクシミリ装置において、警告を報知する報知手段と、発呼前にＦＡＸであるか又は電話であるかを判断し、その判断結果と記憶手段の属性とが異なる場合は、その旨の警告を報知手段に報知する制御手段とを備えた。
【０００７】
請求項３に記載の発明では、同一相手先のＦＡＸ番号と電話番号とを、少なくとも１つのワンタッチキー又は１つの短縮番号に記憶する記憶手段を備えた。
【０００８】
【発明の実施の形態】
［第１実施形態］
以下に、本発明に係るファクシミリ装置の第１実施形態について図面を用いて説明する。
【０００９】
図１に示すように、ファクシミリ装置１は、ＭＰＵ１０、ＲＯＭ２０、ＲＡＭ３０、読取部４０、記録部５０、操作部６０、表示部７０、画像メモリ８０、コーデック９０、モデム１００、及びＮＣＵ１１０から構成されるとともに、各部１０〜１１０がバス１２０を介してそれぞれ接続されている。
【００１０】
ＭＰＵ１０は、ファクシミリ装置１を構成する各部を制御する。ＲＯＭ２０は、ファクシミリ装置１を制御するための制御プログラムを記憶する。ＲＡＭ３０は、ファクシミリ装置１に関する各種情報を記憶する。また、ＲＡＭ３０は、ワンタッチリスト３１を記憶している。
【００１１】
読取部４０は、原稿上の画像データを読み取って、白黒２値のイメージデータを出力する。具体的には、読取部４０は、原稿を搬送しながら自動的に読み取るＡＤＦ（Ａｕｔｏｍａｔｉｃ　Ｄｏｃｕｍｅｎｔ　Ｆｅｅｄｅｒ　）４１と、静止している原稿を読み取るＦＢＳ（Ｆｌａｔ　ｂｅｄ　Ｓｃａｎｎｅｒ）４２とから構成されている。
【００１２】
記録部５０は、電子写真方式のプリンタよりなり、受信画データや、コピー動作において読取部４０にて読み取られた原稿の画データを、記録紙上に記録する。
【００１３】
図１及び図２に示すように、操作部６０は、ファクシミリ装置１を動作させるための各種キーを備えている。ＦＡＸ／コピーキー６１は、ＦＡＸモード又はコピーモードに設定するためのキーである。短縮／電話帳キー６２は、予め登録した相手先の電話番号やＦＡＸ番号を短縮番号で指定するためのキーであるとともに、予め登録した相手先を電話帳で検索して相手先の電話番号やＦＡＸ番号を指定するためのキーである。ワンタッチキー６３は、予め登録した相手先の電話番号やＦＡＸ番号をワンタッチで指定するためのキーである。テンキー（＊，＃キーを含む）６４は、電話番号、ＦＡＸ番号やコピー部数等を入力するためのキーである。スタートキー６５は、原稿の読み取り動作を開始させるためのキーである。
【００１４】
メニューキー６６は、ファクシミリ装置１の動作を予め設定するためのキーである。具体的には、ＦＡＸ送信時に相手先の電話番号が入力されている場合には、ワンタッチリスト３１に基づいて同一相手先のＦＡＸ番号に訂正し、電話時に相手先のＦＡＸ番号が入力されている場合には、ワンタッチリスト３１に基づいて同一相手先の電話番号に訂正するエラー訂正モードに設定するためのキーである。ストップ／クリアキー６７は、ファクシミリ装置１の動作を停止するためのキーであるとともに、入力した短縮番号やワンタッチ番号に対応する相手先名等をクリアするためのキーである。
【００１５】
ＬＣＤ等よりなる表示部７０は、ファクシミリ装置１の動作状態等の各種情報の表示を行う。また、表示部７０は、所定の警告音を鳴動するためのスピーカ７１を備え、ＭＰＵ１０からの制御信号に基づいて警告音を鳴動する。
【００１６】
図１に示すように、画像メモリ８０は、受信画データや読取部４０で読み取られた画データを一時的に記憶する。コーデック９０は、読取部４０にて読み取られた画データを送信のためにＭＨ，ＭＲ，ＭＭＲ，ＪＢＩＧ方式等により符号化（エンコード）する。また、コーデック９０は、受信画データを復号（デコード）する。
【００１７】
モデム１００は、ＩＴＵ−Ｔ勧告Ｔ．３０に従ったファクシミリ伝送制御手順に基づいて、Ｖ．１７，Ｖ．２７ｔｅｒ，Ｖ．２９等に従った送受信データの変調及び復調を行う。ＮＣＵ１１０は、電話回線Ｌとの接続を制御するとともに、相手先の電話番号やＦＡＸ番号に対応したダイヤル信号の送出及び着信を検出するための機能を備えている。また、ＮＣＵ１１０は、ハンドセット（受話器）１１１を備えている。このハンドセット１１１をオフフックした状態で、相手先の電話番号をワンタッチキー６３等から入力すると、相手先に発呼が行われた後、相手先との間で通話することができる。
【００１８】
次に、ＲＡＭ３０に記憶されているワンタッチリスト３１について、図３を用いて説明する。
図３に示すように、ワンタッチリスト３１は、「ワンタッチ番号」、「相手先名」、「電話番号／ＦＡＸ番号」、「属性」の各項目から構成されている。「ワンタッチ番号」の項目とは、ワンタッチキー６３の番号を示している。「相手先名」の項目は、相手先の名称を示している。「電話番号／ＦＡＸ番号」の項目は、相手先の電話番号又はＦＡＸ番号を示している。「属性」の項目は、「電話番号／ＦＡＸ番号」の項目で示す番号が、電話番号であるか又はＦＡＸ番号であるかを示している。
【００１９】
次に、ワンタッチキー６３が操作された場合の動作について、図４及び図５に示すフローチャートを用いて説明する。なお、この動作は、ＲＯＭ２０に記憶されたプログラムに基づき、ＭＰＵ１０の制御により実行される（以下、ファクシミリ装置１の動作について同じ）。
【００２０】
さて、図４に示すように、ワンタッチキー６３が操作されると（Ｓ１でＹＥＳ）、ＡＤＦ４１又はＦＢＳ４２に原稿があるか否かが判断される（Ｓ２，Ｓ３）。具体的には、ＡＤＦ４１に設けられた原稿有無センサ（図示略）からの検出信号に基づいて、ＡＤＦ４１に原稿があるか否かが判断される。また、読取部４０が有するＣＣＤ（図示略）からの画データに基づいて、ＦＢＳ４２に原稿があるか否かが判断される。ここで、ＦＢＳ４２の原稿検出にＦＢＳ４２内に設けた反射型のセンサを用いても良い。そして、ＡＤＦ４１及びＦＢＳ４２のいずれにも原稿がない場合は（Ｓ２及びＳ３でＮＯ）、ＦＡＸではないと判断されて、ハンドセット１１１がオフフックされているか否かが判断される（Ｓ４）。ハンドセット１１１がオフフックされている場合には（Ｓ４でＹＥＳ）、図５に示すＳ２１に移行する。一方、ハンドセット１１１がオフフックされていない場合、つまりハンドセット１１１がオンフックされている場合は、電話でもないと判断して、前記Ｓ２に戻る。すなわち、ＡＤＦ４１又はＦＢＳ４２に原稿が載置されるまで、又はハンドセット１１１がオフフックされるまで待機する。一方、ＡＤＦ４１又はＦＢＳ４２に原稿がある場合は（Ｓ２又はＳ３でＹＥＳ）、ＦＡＸに関するメッセージ（例えば、ＦＡＸ送信できます。）が表示部７０に表示される（Ｓ５）。このとき、コピーモードの場合には、自動的にＦＡＸモードに切り替えられる。
【００２１】
続いて、前記Ｓ１において操作されたワンタッチキー６３の属性が、ワンタッチリスト３１に基づきＦＡＸであるか否かが判断される（Ｓ６）。そして、属性がＦＡＸでない場合には（Ｓ６でＮＯ）、ワーニングメッセージ（例えば、操作されたワンタッチキーは、電話番号です。ストップ／クリアキー６７で電話番号をクリアします。）が表示部７０に表示される（Ｓ７）。そこで、メニューキー６６の設定により、エラー訂正モードに設定されているか否かが判断される（Ｓ８）。そして、エラー訂正モードに設定されていない場合には（Ｓ８でＮＯ）、ワーニングメッセージが解除されたか否かが判断される（Ｓ９）。具体的には、ストップ／クリアキー６７が操作されたか否かが判断される。そして、ワーニングメッセージが解除された場合には（Ｓ９でＹＥＳ）、前記Ｓ１に戻る。すなわち、ワーニングメッセージに基づいて、再度ワンタッチキー６３が操作されることを想定して、前記Ｓ１に処理を戻しているのである。
【００２２】
一方、エラー訂正モードに設定されている場合には（Ｓ８でＹＥＳ）、ワンタッチリスト３１に基づいて、前記Ｓ１において入力された同一相手先のＦＡＸ番号が検索される（Ｓ１０）。
【００２３】
属性がＦＡＸである場合（Ｓ６でＹＥＳ）、又は前記Ｓ１０の検索の結果、同一相手先のＦＡＸ番号が取得された場合には、ワンタッチリスト３１に基づき相手先名が表示部７０に表示される（Ｓ１１）。なお、フローチャートには示していないが、前記Ｓ１０の検索の結果、同一相手先のＦＡＸ番号が取得されなかった場合には、その旨のメッセージを表示部７０に表示した後、前記Ｓ１に戻る。
【００２４】
続いて、スタートキー６５が操作されたか否かが判断される（Ｓ１２）。スタートキー６５が操作された場合には（Ｓ１２でＹＥＳ）、前記Ｓ１１において表示部７０に表示された相手先に対して、ＮＣＵ１１０から発呼が行われた後、ＡＤＦ４１又はＦＢＳ４２で読み取られた原稿の画データが相手先に送信される（Ｓ１３）。
【００２５】
他方、ハンドセット１１１がオフフックされている場合には（Ｓ４でＹＥＳ）、電話に関するメッセージ（例えば、電話できます。）が表示部７０に表示される（図５に示すＳ２１）。前記Ｓ１において操作されたワンタッチキー６３の属性が、ワンタッチリスト３１に基づき電話であるか否かが判断される（Ｓ２２）。そして、属性が電話でない場合には（Ｓ２２でＮＯ）、ワーニングメッセージ（例えば、操作されたワンタッチキーは、ＦＡＸ番号です。ストップ／クリアキー６７でＦＡＸ番号をクリアします。）が表示部７０に表示される（Ｓ２３）。
そこで、メニューキー６６の設定により、予めエラー訂正モードに設定されているか否かが判断される（Ｓ２４）。そして、エラー訂正モードに設定されていない場合には（Ｓ２４でＮＯ）、ワーニングメッセージが解除されたか否かが判断される（Ｓ２５）。具体的には、ストップ／クリアキー６７が操作されたか否かが判断される。そして、ワーニングメッセージが解除された場合には（Ｓ２５でＹＥＳ）、図４に示すＳ１に戻る。すなわち、ワーニングメッセージに基づいて、再度ワンタッチキー６３が操作されることを想定して、図４に示すＳ１に処理を戻しているのである。
【００２６】
一方、エラー訂正モードに設定されている場合には（Ｓ２４でＹＥＳ）、ワンタッチリスト３１に基づいて、前記Ｓ１において入力された同一相手先の電話番号が検索される（Ｓ２６）。
【００２７】
属性が電話である場合（Ｓ２２でＹＥＳ）、又は前記Ｓ２６の検索の結果、同一相手先の電話番号が取得された場合には、ワンタッチリスト３１に基づき相手先名が表示部７０に表示される（Ｓ２７）。なお、フローチャートには示していないが、前記Ｓ２６の検索の結果、同一相手先の電話番号が取得されなかった場合には、その旨のメッセージを表示部７０に表示した後、図４に示すＳ１に戻る。
【００２８】
続いて、前記Ｓ２７において表示部７０に表示された相手先に対して、ＮＣＵ１１０から発呼が行われた後、相手先との間で通話が行われる（Ｓ２８）。
以上、詳述したように第１実施形態によれば、次のような作用、効果を得ることができる。
【００２９】
（１）ワンタッチリスト３１は、ワンタッチキー６３に登録されている番号が、電話番号であるか又はＦＡＸ番号であるかを示す属性を記憶している。そして、ワンタッチキー６３が操作された場合に、ＡＤＦ４１又はＦＢＳ４２に原稿がある場合には、ＦＡＸ送信であると判断し、属性がＦＡＸであるか否かを判断している。その結果、属性がＦＡＸの場合は、相手先名が表示部７０に表示され、スタートキー６５の操作に基づいて、相手先に発呼している。一方、ワンタッチキー６３が操作された場合に、ＡＤＦ４１又はＦＢＳ４２に原稿がない場合であって、ハンドセット１１１がオフフックされている場合には、電話であると判断し、属性が電話であるか否かを判断している。その結果、属性が電話の場合は、相手先名が表示部７０に表示された後、相手先に発呼している。従って、通信目的に適した相手先の電話番号又はＦＡＸ番号に発呼することができる。
【００３０】
（２）通信目的に適した相手先のＦＡＸ番号と電話番号に発呼している。このため、ＦＡＸ送信時に相手先の電話番号に発呼することはない。また、通話時に相手先のＦＡＸ番号に発呼することもない。従って、送信側及び受信側のユーザが不快感を感じることもない。
【００３１】
（３）発呼前にＡＤＦ４１又はＦＢＳ４２に原稿がある場合において、属性が電話の場合には、ワーニングメッセージを表示部７０に表示している。また、発呼前にハンドセット１１１がオフフックされている場合において、属性がＦＡＸの場合にも、ワーニングメッセージを表示部７０に表示している。このため、ワンタッチキー６３の操作で通信目的に適していない番号を入力した旨をユーザに報知することができる。従って、相手先のＦＡＸ番号又は電話番号の再入力を促すことができる。
【００３２】
（４）加えて、エラー訂正モードに設定されている場合は、同一相手先のＦＡＸ番号又は電話番号を検索している。このため、自動的に通信目的に適した相手先の電話番号又はＦＡＸ番号に訂正される。従って、相手先のＦＡＸ番号又は電話番号のいずれかのワンタッチキー６３を操作するのみで、通信目的に適した相手先の電話番号又はＦＡＸ番号に発呼することができる。
【００３３】
（５）エラー訂正モードに設定されていない場合でも、表示部７０のワーニングメッセージに基づきストップ／クリアキー６７が操作されると、再度ワンタッチキー６３を操作することができる。このため、エラー訂正モードに設定されていない場合であっても、通信目的に反して相手先の電話番号又はＦＡＸ番号に発呼されることはない。
【００３４】
（６）ワンタッチキー６３が操作された場合に、ＡＤＦ４１又はＦＢＳ４２に原稿がある場合には、ＦＡＸ送信であると判断して、ＦＡＸに関するメッセージを表示部７０に表示している。また、このときコピーモードに設定されている場合には、自動的にＦＡＸモードに切り替えている。このため、ユーザは、ＦＡＸ／コピーキー６１を操作する必要がない。従って、ＦＡＸ送信時の操作性を向上させることができる。
【００３５】
［第２実施形態］
この第２実施形態は、ワンタッチリスト３１の項目の一部が、第１実施形態とは異なる。また、第１実施形態とは異なりエラー訂正モードを備えていない。
【００３６】
すなわち、図６に示すように、ワンタッチリスト３１は、「ワンタッチ番号」、「相手先名」、「電話番号」、「ＦＡＸ番号」の各項目から構成されている。「ワンタッチ番号」の項目とは、ワンタッチキー６３の番号を示している。「相手先名」の項目は、相手先の名称を示している。「電話番号」の項目は、相手先の電話番号を示している。「ＦＡＸ番号」の項目は、相手先のＦＡＸ番号を示している。
【００３７】
次に、ワンタッチキー６３が操作された場合の動作について、図７に示すフローチャートを用いて説明する。
さて、図７に示すように、ワンタッチキー６３が操作されると（Ｓ３１でＹＥＳ）、ＡＤＦ４１又はＦＢＳ４２に原稿があるか否かが判断される（Ｓ３２，Ｓ３３）。そして、ＡＤＦ４１及びＦＢＳ４２のいずれにも原稿がない場合は（Ｓ３２及びＳ３３でＮＯ）、ＦＡＸではないと判断されて、ハンドセット１１１がオフフックされているか否かが判断される（Ｓ３４）。
【００３８】
ＡＤＦ４１又はＦＢＳ４２に原稿がある場合は（Ｓ３２又はＳ３３でＹＥＳ）、ＦＡＸに関するメッセージ（例えば、ＦＡＸ送信できます。）が表示部７０に表示される（Ｓ３５）。このとき、コピーモードの場合には、自動的にＦＡＸモードに切り替えられる。そして、前記Ｓ３１において操作されたワンタッチキー６３の番号とワンタッチリスト３１とに基づいて、相手先のＦＡＸ番号が表示部７０に表示される（Ｓ３６）。
【００３９】
続いて、スタートキー６５が操作されたか否かが判断される（Ｓ３７）。スタートキー６５が操作された場合には（Ｓ３７でＹＥＳ）、前記Ｓ３６において表示部７０に表示された相手先に対して、ＮＣＵ１１０から発呼が行われた後、ＡＤＦ４１又はＦＢＳ４２で読み取られた原稿の画データが相手先に送信される（Ｓ３８）。
【００４０】
一方、ハンドセット１１１がオフフックされていない場合、つまりハンドセット１１１がオンフックされている場合は、電話でもないと判断して、前記Ｓ３２に戻る。すなわち、ＡＤＦ４１又はＦＢＳ４２に原稿が載置されるまで、又はハンドセット１１１がオフフックされるまで待機する。他方、ハンドセット１１１がオフフックされている場合には（Ｓ３４でＹＥＳ）、電話に関するメッセージ（例えば、電話できます。）が表示部７０に表示される（Ｓ３９）。そして、前記Ｓ３１において操作されたワンタッチキー６３の番号とワンタッチリスト３１とに基づいて、相手先名が表示部７０に表示される（Ｓ４０）。その後、前記Ｓ４０において表示部７０に表示された相手先に対して、ＮＣＵ１１０から発呼が行われた後、相手先との間で通話が行われる（Ｓ４１）。
【００４１】
以上、詳述したように第２実施形態によれば、次のような作用、効果を得ることができる。
（１）ワンタッチリスト３１は、１つのワンタッチキー６３に対して電話番号とＦＡＸ番号とを記憶している。そして、ワンタッチキー６３が操作された場合に、ＡＤＦ４１又はＦＢＳ４２に原稿がある場合には、ＦＡＸ送信であると判断して、ＦＡＸ番号に発呼している。一方、ワンタッチキー６３が操作された場合に、ハンドセット１１１がオフフックされている場合には、電話であると判断して、電話番号に発呼している。従って、通信目的に適した相手先の電話番号又はＦＡＸ番号に発呼することができる。
【００４２】
（２）加えて、同一相手先のＦＡＸ番号及び電話番号が１つのワンタッチキー６３に登録されている。このため、同一相手先のＦＡＸ番号と電話番号との登録に２つのワンタッチキー６３が使用されることはない。換言すれば、限りあるワンタッチキー６３を有効に活用することができる。従って、ＦＡＸ送信時と通話時とにワンタッチキー６３が使用されることになるため、ワンタッチキー６３の使用効率を向上させることができる。
【００４３】
なお、前記各実施形態は、次のように変更して具体化することも可能である。・図４に示すＳ１０の処理において、同一相手先のＦＡＸ番号が取得されなかった場合には、ハンドセット１１１をオフフックさせる旨のメッセージを表示部７０に表示させる。そして、ハンドセット１１１がオフフックされた場合には、相手先の電話番号に発呼する構成にしても良い。このように構成すれば、相手先のＦＡＸ番号を電話で取得することができるため、次回からのＦＡＸ送信時にはワンタッチキー６３から相手先のＦＡＸ番号を指定することができる。
【００４４】
・図５に示すＳ２６の処理において、同一相手先の電話番号が取得されなかった場合には、ＦＡＸ送信させる旨のメッセージを表示部７０に表示させる。そして、原稿がＡＤＦ４１又はＦＢＳ４２に載置された場合には、相手先のＦＡＸ番号に発呼する構成にしても良い。
【００４５】
・ＦＡＸ／コピーキー６１に対応するＬＥＤが設けられているファクシミリ装置１の場合には、ＦＡＸであると判断した時点で、ＦＡＸに対応するＬＥＤを自動的に点灯する構成にしても良い。このように構成すれば、例えばコピーモードからＦＡＸモードへ切り替わったことがユーザに報知されるため、ユーザがＦＡＸ／コピーキー６１を操作する必要はないことが容易に分かる。従って、ユーザフレンドリーなファクシミリ装置１を提供することができる。
【００４６】
・ワンタッチキー６３に限らず、短縮／電話帳キー６２に前記各実施形態を適用しても良い。
・テンキー６４から直接相手先の電話番号又はＦＡＸ番号が入力された場合には、その入力された番号に基づいて、ワンタッチリスト３１を参照する構成にして、前記各実施形態を適用しても良い。
【００４７】
・ワーニングメッセージを表示部７０に表示する構成に代えて又は加えて、スピーカ７１から警告音を鳴動する構成にしても良い。
・ＡＤＦ４１又はＦＢＳ４２に原稿がある場合であって、ハンドセット１１１がオフフックされている場合は、通信目的がいずれであるか否かを問い合わせるメッセージを表示部７０に表示する構成にしても良い。或いは、強制的にＦＡＸ又は電話のいずれかを優先的に取り扱ってＦＡＸ番号又は電話番号に発呼する構成にしても良い。
【００４８】
さらに、前記各実施形態等より把握される技術的思想について、以下にそれらの効果と共に記載する。
〔１〕請求項２に記載のファクシミリ装置において、制御手段は、発呼前にＦＡＸであるか又は電話であるかを判断し、その判断結果と記憶手段の属性とが異なる場合は、通信目的に適したＦＡＸ番号又は電話番号に訂正するファクシミリ装置。このように構成すれば、通信目的に適したＦＡＸ番号又は電話番号に訂正されるため、通信目的に適した相手先の電話番号又はＦＡＸ番号に発呼することができる。
【００４９】
〔２〕請求項２または前記〔１〕に記載のファクシミリ装置において、制御手段は、発呼前にＦＡＸであるか又は電話であるかを判断し、ＦＡＸである場合には、ＦＡＸモードに切り替えるファクシミリ装置。このように構成すれば、ＦＡＸモードに切り替えるための操作が不要となるため、ＦＡＸ送信時の操作性を向上することができる。
【００５０】
〔３〕請求項２、前記〔１〕または〔２〕に記載のファクシミリ装置において、原稿を読み取る読取手段を備え、制御手段は、読取手段に原稿が載置されているか否かに基づいて、ＦＡＸであるか否かを判断するファクシミリ装置。このように構成すれば、原稿の有無に基づいて、ＦＡＸであることを確実に判断することができる。
【００５１】
〔４〕請求項２、前記〔１〕〜〔３〕に記載のファクシミリ装置において、相手先との間で通話を行うためのハンドセットを備え、制御手段は、ハンドセットの状態に基づいて、電話であるか否かを判断するファクシミリ装置。このように構成すれば、ハンドセットの状態に基づいて、電話であることを確実に判断することができる。
【００５２】
【発明の効果】
本発明は、以上のように構成されているため、次のような効果を奏する。
請求項１〜請求項３のいずれか１項に記載の発明によれば、通信目的に適した相手先の電話番号又はＦＡＸ番号に発呼することができる。
【００５３】
特に、請求項２に記載の発明によれば、相手先のＦＡＸ番号又は電話番号の再入力を促すことができる。
【図面の簡単な説明】
【図１】ファクシミリ装置の構成を示すブロック図。
【図２】操作部及び表示部を示す説明図。
【図３】第１実施形態におけるワンタッチリストを示す説明図。
【図４】第１実施形態におけるワンタッチキーが操作された場合の動作を示すフローチャート。
【図５】第１実施形態におけるワンタッチキーが操作された場合の動作を示すフローチャート。
【図６】第２実施形態におけるワンタッチリストを示す説明図。
【図７】第２実施形態におけるワンタッチキーが操作された場合の動作を示すフローチャート。
【符号の説明】
１…ファクシミリ装置、１０…制御手段を構成するＭＰＵ、２０…制御手段を構成するＲＯＭ、３０…制御手段及び記憶手段を構成するＲＡＭ、４０…読取手段としての読取部、４１…読取手段を構成するＡＤＦ、４２…読取手段を構成するＦＢＳ、６２…短縮／電話帳キー、６３…ワンタッチキー、６４…テンキー、６５…スタートキー、７０…報知手段としての表示部、７１…報知手段としてのスピーカ、１１１…ハンドセット。
【図１】
2004040648.tif 000003
【図２】
2004040648.tif 000004
【図３】
2004040648.tif 000005
【図４】
2004040648.tif 000006
【図５】
2004040648.tif 000007
【図６】
2004040648.tif 000008
【図７】
2004040648.tif 000009